(57)【特許請求の範囲】
【請求項１】
互いに略直線に設置した複数の主天井支持バーが長手方向に設けた嵌合部を有し、隣接する前記主天井支持バーの前記嵌合部に両側部をそれぞれ嵌合することで、前記主天井支持バーの端部どうしを接続するシステム天井用の直線接続金具であって、
前記主天井支持バーの前記嵌合部に圧接される金具かしめ部と、前記直線接続金具の中央部分の両側で前記主天井支持バーに係止して前記嵌合部からの抜けを阻止する取付用係止部と、前記直線接続金具の前記主天井支持バー側の側面に一対設けられ前記直線接続金具の前記中央部分を切り起こして両端に向けて開口するように折曲形成した一対の主天井支持バー差込部とを有し、
前記金具かしめ部は前記主天井支持バー差込部と反対側の側面に中央部が突出するように折曲され、前記主天井支持バーの端部どうしを前記一対の主天井支持バー差込部に差し込み接続することを特徴とするシステム天井用の直線接続金具。
【請求項２】
前記取付用係止部と前記主天井支持バーとの一方に抜け止め突部、他方に前記抜け止め突部が係止する抜け止め穴部を設けた請求項１記載のシステム天井用の直線接続金具。
【請求項３】
前記金具かしめ部を専用工具で変形させることにより、前記主天井支持バーの頭部下の嵌合部に前記金具かしめ部の先端が入り込む請求項１記載のシステム天井用の直線接続金具。
【請求項４】
前記抜け止め突部は汎用工具にて抜け止め穴部より外すことができる請求項２記載のシステム天井用の直線接続金具。
【発明の詳細な説明】
【０００１】
【発明の属する技術分野】
この発明は、システム天井用の直線接続金具に関するものである。
【０００２】
【従来の技術】
従来、互いに略直線に設置した複数の主天井支持バーの端部どうしを接続するシステム天井用の直線接続金具においては、例えば実開平６−２８０２７号公報などに開示されているように、主天井支持バー接続部に対し直線接続金具を表裏２枚使用し、金具かしめ部をかしめるだけのものであった。この際、直線接続金具の片側半分を一方の主天井支持バーのはめ込み部にはめ込むとともに、他の片側半分を他方の主天井支持バーのはめ込み部にはめ込み、金具かしめ部をかしめてはめ込み部に圧接する。
【０００３】
【発明が解決しようとする課題】
従来の直線接続金具では、上記のように金具かしめ部をかしめるだけの構造になっており、主天井支持バーを引っ張った場合、金具かしめ部がすべり、主天井支持バーがずれるおそれがあった。
【０００４】
また、主天井支持バーのねじれを防止し、バーの直線を出すためには、主天井支持バーの端部に対し接続金具を表裏２枚使用しなければならなかった。このため、部材点数が増えるという問題があった。
【０００５】
したがって、この発明の目的は、主天井支持バーがずれて抜け難く、直線接続金具１枚の使用で主天井支持バーのねじれを防止し、バーの直線を出すことができるシステム天井用の直線接続金具を提供することである。
【０００６】
【課題を解決するための手段】
上記課題を解決するためにこの発明の請求項１記載のシステム天井用の直線接続金具は、互いに略直線に設置した複数の主天井支持バーが長手方向に設けた嵌合部を有し、隣接する前記主天井支持バーの前記嵌合部に両側部をそれぞれ嵌合することで、前記主天井支持バーの端部どうしを接続するシステム天井用の直線接続金具であって、
前記主天井支持バーの前記嵌合部に圧接される金具かしめ部と、前記直線接続金具の中央部分の両側で前記主天井支持バーに係止して前記嵌合部からの抜けを阻止する取付用係止部と、前記直線接続金具の前記主天井支持バー側の側面に一対設けられ前記直線接続金具の前記中央部分を切り起こして両端に向けて開口するように折曲形成した一対の主天井支持バー差込部とを有し、
前記金具かしめ部は前記主天井支持バー差込部と反対側の側面に中央部が突出するように折曲され、前記主天井支持バーの端部どうしを前記一対の主天井支持バー差込部に差し込み接続する。
【０００７】
このように、主天井支持バーの嵌合部に圧接される金具かしめ部と、主天井支持バーに係止して嵌合部からの抜けを阻止する取付用係止部と、主天井支持バー側の側面の中間部から両端に向けて折曲した一対の主天井支持バー差込部とを有し、主天井支持バーの端部どうしを一対の主天井支持バー差込部に差し込み接続するので、主天井支持バーの端部どうしを接続するにあたり、直線接続金具１枚を使用してその主天井支持バー差込部により主天井支持バーの端部を表裏側より挟み込むことが可能となる。このため、主天井支持バーのねじれに強く、バーの直線を容易に出すことができる。
【０００８】
また、取付用係止部を主天井支持バーに係止することによる抜け防止と金具かしめ部による固定により、直線接続金具が接続しやすく、抜け難くなる。さらに、直線接続金具を主天井支持バーに嵌合する際に、主天井支持バー差込部により主天井支持バーの端部どうしが位置決めされて接続位置が容易に決まる。
【０００９】
さらに金具かしめ部は一方の側面の側に中央部が突出するように折曲され、他方の側面に主天井支持バー差込部を設けたので、主天井支持バー差込部に主天井支持バーを差込む際に金具かしめ部の突出した中央部が障害にならず接続しやすくなる。
【００１０】
請求項２記載のシステム天井用の直線接続金具は、請求項１記載のシステム天井用の直線接続金具において、取付用係止部と主天井支持バーとの一方に抜け止め突部、他方に前記抜け止め突部が係止する抜け止め穴部を設けた。
このように、取付用係止部と主天井支持バーとの一方に抜け止め突部、他方に抜け止め突部が係止する抜け止め穴部を設けたので、抜け止め突部を抜け止め穴部に引っ掛けることにより主天井支持バーに力が加わっても抜けない。
【００１１】
請求項３記載のシステム天井用の直線接続金具は、請求項１記載のシステム天井用の直線接続金具において、金具かしめ部を専用工具で変形させることにより、主天井支持バー頭部下の嵌合部に前記金具かしめ部先端が入り込む。
このように、金具かしめ部を専用工具で変形させることにより、主天井支持バー頭部下の嵌合部に金具かしめ部先端が入り込むので、主天井支持バーを強固に接続することができる。
【００１２】
請求項４記載のシステム天井用の直線接続金具は、請求項２記載のシステム天井用の直線接続金具において、抜け止め突部は汎用工具にて抜け止め穴部より外すことができる。
このように、抜け止め突部は汎用工具にて抜け止め穴部より外すことができるので、主天井支持バーを容易に外すことができる。
【００１３】
【発明の実施の形態】
この発明の実施の形態を図１ないし図６に基づいて説明する。図１はこの発明の実施の形態のシステム天井用の直線接続金具の斜視図、図２（ａ）はこの発明の実施の形態の直線接続金具を用いて主天井支持バーを取付けた状態を示す正面図、（ｂ）は平面図である。
【００１４】
図１に示すように、このシステム天井用の直接接続金具１０は、互いに略直線に設置した複数の主天井支持バー４が垂直片４ａに沿って長手方向に設けた嵌合部１１を有し、隣接する主天井支持バー４の嵌合部１１に両側部をそれぞれ嵌合することで、主天井支持バー４の端部どうしを接続する。ここでシステム天井は、互いに略平行に設置した複数の主天井支持バー４に対し、略直交方向に配置される副天井支持バー（図示せず）を、隣接する主天井支持バー４どうしの間に掛け渡し、これら主天井支持バー４と副天井支持バーで構成される格子の内に天井材や照明器具等の設備機器が配置されるものである。
【００１５】
直線接続金具１０は、図２に示すように、主天井支持バー４の嵌合部１１に圧接される金具かしめ部２と、主天井支持バー４に係止して嵌合部１１からの抜けを阻止する取付用係止部１と、主天井支持バー４側の側面の中間部から両端に向けて折曲した一対の主天井支持バー差込部３と、補強用リブ１２とを有する。
【００１６】
金属かしめ部２は、基端が直線接続金具１０の下部と一体となり、両側縁に切欠き１３を形成して隣接部分から分離した板片で、一方の側面の側に中央部が突出するようにくの字形に折曲し、先端に係止爪１４が形成してある。図１では金属かしめ部２を真っ直ぐにした状態であり、この状態で金属かしめ部２の先端が隣接部分の上端と同じかまたは高くしてもよい。また、この金属かしめ部２は直線接続金具１０の両側にそれぞれ１つ以上配置され、図面では片側につき２つ配置されている。
【００１７】
取付用係止部１は、他方の側面の側に切り起こした抜け止め突部であり、直線接続金具１０の中央部分１０ａの両側に形成される。各取付用係止部１は主天井支持バー４の嵌合方向に沿って中央寄りが開くように切り起こされる。また、この取付用係止部１に係止する抜け止め穴部１５が主天井支持バー４の垂直片４ａに形成されている。
【００１８】
主天井支持バー差込部３は、主天井支持バー４の端部どうしの垂直片４ａが差し込み接続されるように、直線接続金具１０の他方の側面に一対設けられる。この場合、図１に示すように、中央部分１０ａを切り起こして両端に向けて開口するように折曲形成される。また、主天井支持バー差込部３の先端３ａは、外側に屈曲させて主天井支持バー４を入りやすくするとともに、先端側の一角部に凹部３ｂを設け、この凹部３ｂに上記取付用係止部１を設けるスペースを確保している。
【００１９】
補強用リブ１２は直線接続金具１０の下部に長手方向に沿って設けられ、直線接続金具１０のたわみを防止する。この場合、一方の側面の側へ凸となるようにプレス加工等により形成される。
【００２０】
また、主天井支持バー４は、垂直片４ａの上端に筒形の頭部４ｂ、下端に端縁を立ち上げたフランジ４ｃを有するように、金属板を折曲加工して断面略逆Ｔ字状に形成され、ハンガーと吊りボルトにて上部スラブに吊り下げられている（図示せず）。嵌合部１１はフランジ４ｃに形成され、頭部４ｂ下にも嵌合部１１ａが形成される。
【００２１】
つぎに上記直線接続金具１０を用いて主天井支持バー４を接続する取付作業について説明する。図３はこの発明の実施の形態の直線接続金具を用いて主天井支持バーの取付ける際の説明図である。
【００２２】
図３に示すように、直線接続金具１０の片側を、一方の側面が露出するように主天井支持バー４の端部の嵌合部１１に嵌合する。この際、主天井支持バー４で取付用係止部１を押し込めながら、その垂直片４ａを主天井支持バー差込部３に差し込み接続する。また、直線接続金具１０を主天井支持バー４に嵌合する際に所定の接続位置（中心部）まで嵌合する必要があるが、主天井支持バー差込部３により位置決めされるので容易に接続位置まで嵌合することができる。
【００２３】
主天井支持バー４の差し込みが完了すると、図２に示すように、取付用係止部１が抜け止め穴部１５に入ることで弾性により元の状態に復帰する。これにより、取付用係止部１を抜け止め穴部１５に引っ掛けて係止し、主天井支持バー４に力が加わっても抜けない。この後、図４および図５に示すように、金具かしめ部２を専用工具６によって変形させることにより、主天井支持バー頭部４ｂ下の嵌合部１１ａに金具かしめ部２の先端の係止爪１４が入り込み、主天井支持バー４を固定する。専用工具６は、金属かしめ部２とともに主天井支持バー４の垂直片４ａをかしめて挟持する挟持部２０を有し、この挟持部２０には主天井支持バー４の頭部４ｂなどの力を与えない部分が入るスペース２０ａが形成されている。次に直線接続金具１０の他の片側を同様にして主天井支持バー４の端部の嵌合部１１に嵌合し、主天井支持バー４を固定する。
【００２４】
図６はこの発明の実施の形態における主天井支持バーの取外し作業説明図である。図６に示すように、取付用係止部１はドライバなどの汎用工具５にて抜け止め穴部１５より外すことができ、主天井支持バー４を容易に取り外すことができる。これにより、主天井支持バー４を何度でも利用することができる。
【００２５】
以上のようにこの実施の形態によれば、主天井支持バー４の端部どうしを接続するにあたり、直線接続金具１０を１枚を使用してその主天井支持バー差込部３により主天井支持バー４の端部の垂直片４ａを表裏側より挟み込むことが可能となり、主天井支持バー４のねじれに強く、バー４の直線を容易に出すことができる。
【００２６】
また、取付用係止部１を主天井支持バー４の抜け止め穴部１５に係止することによる抜け防止と金具かしめ部２による固定により、直線接続金具１０が接続しやすく、抜け難くなる。さらに、直線接続金具１０を主天井支持バー４に嵌合する際に、主天井支持バー差込部３により主天井支持バー４の端部どうしが位置決めされて接続位置が容易に決まる。
【００２７】
また、金具かしめ部２は一方の側面の側に中央部が突出するように折曲され、他方の側面に主天井支持バー差込部３を設けたので、主天井支持バー差込し部３に主天井支持バー４を差し込む際に金具かしめ部２の突出した中央部が障害にならず接続しやすくなる。
【００２８】
なお、取付用係止部１を抜け止め穴部にして、これに係止する抜け凸部を主天井支持バーに設けてもよい。
【００２９】
【発明の効果】
この発明の請求項１記載の主天井支持バー用の主天井支持バーによれば、主天井支持バーの嵌合部に圧接される金具かしめ部と、主天井支持バーに係止して嵌合部からの抜けを阻止する取付用係止部と、主天井支持バー側の側面の中間部から両端に向けて折曲した一対の主天井支持バー差込部とを有し、主天井支持バーの隣接する端部どうしを一対の主天井支持バー差込部に差し込み接続するので、主天井支持バーの端部どうしを接続するにあたり、直線接続金具１枚を使用してその主天井支持バー差込部により主天井支持バーの端部を表裏側より挟み込むことが可能となる。このため、主天井支持バーのねじれに強く、バーの直線を容易に出すことができる。
【００３０】
また、取付用係止部を主天井支持バーに係止することによる抜け防止と金具かしめ部による固定により、直線接続金具が接続しやすく、抜け難くなる。さらに、直線接続金具を主天井支持バーに嵌合する際に、主天井支持バー差込部により主天井支持バーの端部どうしが位置決めされて接続位置が容易に決まる。
【００３１】
さらに、金具かしめ部は一方の側面の側に中央部が突出するように折曲され、他方の側面に主天井支持バー差込部を設けたので、主天井支持バー差込部に主天井支持バーを差込む際に金具かしめ部の突出した中央部が障害にならず接続しやすくなる。
【００３２】
請求項２では、取付用係止部と主天井支持バーとの一方に抜け止め突部、他方に抜け止め突部が係止する抜け止め穴部を設けたので、抜け止め突部を抜け止め穴部に引っ掛けることにより主天井支持バーに力が加わっても抜けない。
【００３３】
請求項３では、金具かしめ部を専用工具で変形させることにより、主天井支持バー頭部下の嵌合部に金具かしめ部先端が入り込むので、主天井支持バーを強固に接続することができる。
【００３４】
請求項４では、抜け止め突部は汎用工具にて抜け止め穴部より外すことができるので、主天井支持バーを容易に外すことができる。
【図面の簡単な説明】
【図１】この発明の実施の形態のシステム天井用の直線接続金具の斜視図である。
【図２】（ａ）はこの発明の実施の形態の直線接続金具を用いて主天井支持バーを取付けた状態を示す正面図、（ｂ）は平面図である。
【図３】（ａ）はこの発明の実施の形態の直線接続金具を用いて主天井支持バーの取付ける際の説明図である。
【図４】この発明の実施の形態において金具かしめ部を専用工具で変形させる説明図である。
【図５】図４において専用工具で変形させた金具かしめ部の固定状態を示す拡大断面図である。
【図６】この発明の実施の形態における主天井支持バーの取外し作業説明図である。
【符号の説明】
１  取付用係止部
２  金具かしめ部
３  主天井支持バー差込部
４  主天井支持バー
５  汎用工具
６  専用工具
１０  直線接続金具
１１，１１ａ  嵌合部
１５  抜け止め穴部
【図１】
0004058950.tif 000002
【図２】
0004058950.tif 000003
【図３】
0004058950.tif 000004
【図４】
0004058950.tif 000005
【図５】
0004058950.tif 000006
【図６】
0004058950.tif 000007